(57)【要約】【課題】所望する月毎の曜日、祝祭日等を極めて迅速にして且簡単に見ることができ、机上や室内の壁面に吸着して、所望の月毎の曜日、祝祭日等を迅速且つ簡単に見られる回転式カレンダーを提供する。【解決手段】月日・７曜・祝祭日等が縦状に表示された１月から１２月までのフィルム状月別カレンダーａを接続したエンドレス状にして且リング状のカレンダー本体Ａを形成せしめ、カレンダー本体Ａのリング状内側部に、上方ローラｂと下方ローラｃを嵌挿せしめ、上方ローラｂと下方ローラｃの両端部１、２に、上方ローラｂと下方ローラｃが、弛まず張られた状態を確保できるように、左側支持脚部ｄの端部３と右側支持脚部ｅの端部４を接続せしめて、上方ローラｂと下方ローラｃとを平行状に並列せしめ組立てられている。【選択図】    図１
2020001206.tif 000002
【特許請求の範囲】
【請求項１】
月日・７曜・祝祭日等が縦状に表示せしめられた１月から１２月までのフィルム状月別カレンダーを接続せしめたエンドレス状にして且リング状のカレンダー本体を形成せしめ、前記カレンダー本体のリング状内側部に、上方ローラと下方ローラを嵌挿せしめ、前記上方ローラと下方ローラの両端部に、前記上方ローラと下方ローラが、弛まず張られた状態を確保せしめることができるように、左側支持脚部の端部と右側支持脚部の端部を接続せしめて、前記上方ローラと前記下方ローラとを平行状に並列せしめ組立てることを特徴とする回転式カレンダー。
【請求項２】
前記上方ローラと前記下方ローラの幅員が、前記カレンダー本体の幅員よりも大きく形成せしめられていることを特徴とする、請求項１に記載の回転式カレンダー。
【請求項３】
前記上方ローラと前記下方ローラが、縦断面が円形状となっていることを特徴とする、請求項１又は２に記載の回転式カレンダー。
【請求項４】
前記左側支持脚部と前記右側支持脚部が、線材を折曲し形成せしめられた下方突出部に、吸着部を取着せしめることを特徴とする、請求項１又は２又は３に記載の回転式カレンダー。
【請求項５】
前記左側支持脚部が、上方部材と下方部材の２本からなり、前記上方部材の下方端部と、前記下方部材の上方端部に、夫々突っ張り杆が接続せしめられていることを特徴とする、請求項１又は２又は３又は４に記載の回転式カレンダー。
【請求項６】
前記上方ローラと前記下方ローラの径が、同一寸法にて形成せしめられていることを特徴とする、請求項１又は２又は３又は４又は５に記載の回転式カレンダー。
【請求項７】
回転式カレンダーの製造法において、
第１工程として、暦の月日・７曜・祝祭日等が縦状に表示せしめられた１月から１２月までのフィルム状月別カレンダーを接続せしめるカレンダー本体を形成せしめ、
第２工程として、前記第１工程によって形成せしめられたカレンダー本体の内側部に、前記カレンダー本体が弛まず張られた状態を確保せしめることができるように上方ローラと下方ローラを嵌挿せしめ、
第３工程として、前記上方ローラと前記下方ローラの両端部に、左側支持脚部の端部と右側支持脚部の端部を接続せしめて、前記上方ローラと前記下方ローラとを平行状に並列せしめ組立てることを特徴とする、回転式カレンダーの製造法。
【請求項８】
前記回転式カレンダーの製造法において、
前記上方ローラと前記下方ローラの幅員が、前記カレンダー本体の幅員よりも大きく形成せしめることを特徴とする、請求項７に記載の回転式カレンダーの製造法。
【請求項９】
前記回転式カレンダーの製造法において、
前記上方ローラと前記下方ローラが、縦断面が円形状となっていることを特徴とする、請求項７又は８に記載の回転式カレンダーの製造法。
【請求項１０】
前記左側支持脚部と前記右側支持脚部が、線材を折曲し形成せしめられた下方突出部に、吸着部を取着せしめることを特徴とする、請求項７又は８又は９に記載の回転式カレンダーの製造法。
【請求項１１】
前記左側支持脚部が、上方部材と下方部材の２本からなり、前記上方部材の下方端部と、前記下方部材の上方端部に、夫々突っ張り杆が接続せしめられていることを特徴とする、請求項７又は８又は９又は１０に記載の回転式カレンダーの製造法。
【請求項１２】
前記上方ローラと前記下方ローラの径が、同一寸法にて形成せしめられていることを特徴とする、請求項７又は８又は９又は１０又は１１に記載の回転式カレンダーの製造法。
【発明の詳細な説明】
【技術分野】
【０００１】
本発明は、縦状に表示の１月から１２月までのエンドレス状にして且リング状の月別カレンダー本体の内側部に、上方ローラと下方ローラを平行状に嵌挿せしめ、前記上方ローラと下方ローラの両端部に、左右両側支持脚部を接続せしめ、前記上方ローラと下方ローラを平行状に突っ張り並列せしめ組立てる回転式カレンダー及び製造法の技術分野に関するものである。
【背景技術】
【０００２】
従来、ローリングカレンダーが下記特許文献１（実開平５−２６４４８公報）に開示されている。
【０００３】
当該ローリングカレンダーは、１日毎にメモ用スペースを有し、該メモ用スペースに記録した情報を検索し易い様にしたローリングカレンダーであって、その具体的構成は以下のとおりである。
【０００４】
すなわち、従来開示のローリングカレンダーは、ロール状カレンダー１０と、該ロール状カレンダー１０の両端をそれぞれ巻取る２本の軸１１，１１′と、該軸１１，１１′を回転可能に支持する枠１２とを具備し、該枠１２は、上面板１３と四周の側板１４とを有し、底部が開放した浅い箱状をなし、その上面板１３の対向する２辺のそれぞれ近傍には互いに平行した２つのスリット１５，１５′が形成され、且つ一方のスリット１５′の近傍には該スリットに平行して曜日１６が印刷され、該枠１２の側板１４には前記２本の軸１１，１１′を前記スリット１５，１５′に平行して回転可能に支持する軸受孔１７，１７′が形成され、前記軸１１，１１′は、一端につまみ１８を有し、前記枠１２の軸受孔１７，１７′に支持され、前記ロール状カレンダー１０は、その長手方向に７列に設けられてメモ用スペース２０となるマス目２１と、該マス目２１の一隅に前記枠１２に印刷された曜日１６に合わせた月日２２とが印刷され、且つ該ロール状カレンダー１０の一端は前記一方のスリット１５を通して一方の軸１１に固着され、他端は前記他方のスリット１５′を通して他方の軸１１′に固着され、該軸１１，１１′によりロール状カレンダー１０を巻き取ることにより上面板１３の両スリット１５，１５′間に任意の月日を表示可能としたものである。
【０００５】
また、それに加えて、上記ロール紙１０に印刷された月日２２は隣接する月の印刷色が互いに異なることを特徴とする。この構成を採ることにより、メモ用スペースを有し、該メモ用スペースに記録した情報を検索し易い様にしたローリングカレンダーが得られるとするものである。
【先行技術文献】
【特許文献】
【０００６】
【特許文献１】実開平５−２６４４８公報
【発明の概要】
【発明が解決しようとする課題】
【０００７】
前記特許文献１に係る実開平５−２６４４８公報に記載の考案のローリングカレンダーは、該カレンダーを構成するロール状カレンダー１０の上下方部分が、２本の軸１１，１１′に巻取られている構造のため、各月（１〜１２月まで）の日付と曜日や祝祭日をスムーズに極めて簡単にして、且迅速に見ることが出来にくい構造となっている。
【０００８】
さらに、前記した従来開示のローリングカレンダーは、箱状タイプのため、カレンダー１０自体を手指でつかみながら容易に操作することができない構造となっている。
【０００９】
また前記した従来開示のローリングカレンダーは、机上に吸着せしめ固定したり、壁面に吸着せしめ固定することができない構造となっている。
【００１０】
しかるに、本発明が解決しようとする課題は、１月から１２月までの月別カレンダー本体のリング状内側部に、上方ローラと下方ローラを前記月別カレンダーに対し、直角状にして、且並列状に嵌挿せしめて、弛まず張られた状態を確保した構造にして、前記月別カレンダー本体を手指でつかみ、さらに月別カレンダー本体を上方向もしくは下方向にスライド可能な構造なので、所望する月毎の曜日、祝祭日等を極めて迅速にして且簡単に見ることができるようにした。
【００１１】
さらに、本発明の回転式カレンダーは、机上や室内の壁面に吸着せしめて、所望する月毎の曜日、祝祭日等を極めて迅速にして且簡単に見ることができるようにした。
【００１２】
本発明の回転式カレンダーは、カレンダー本体を前記カレンダー本体に対し直角状にして、且平行状に２本のローラに左右両側支持脚部を挿込み、常時突っ張り状態を持続せしめながら、カレンダー本体を弛むことなくカレンダー本体を極めて見易くした。
【００１３】
本発明の回転式カレンダーは、第１工程としてカレンダー本体を、第２工程としてカレンダー本体の内側に２つの上下方ローラを挿入せしめる工程とし、第３工程として、前記２本の上下方ローラを２本の左右両側支持脚部によって平行状に並列せしめて極めて簡単に製造できるようにした。
【課題を解決するための手段】
【００１４】
課題を解決するための手段として、請求項１に記載の発明は、月日・７曜・祝祭日等が縦状に表示せしめられた１月から１２月までのフィルム状月別カレンダーａを接続せしめたエンドレス状にして且リング状のカレンダー本体Ａを形成せしめ、前記カレンダー本体Ａのリング状内側部に、上方ローラｂと下方ローラｃを嵌挿せしめ、前記上方ローラｂと下方ローラｃの両端部１、２に、前記上方ローラｂと下方ローラｃが、弛まず張られた状態を確保せしめることができるように、左側支持脚部ｄの端部３と右側支持脚部ｅの端部４を接続せしめて、前記上方ローラｂと前記下方ローラｃとを平行状に並列せしめ組立てることを特徴とする回転式カレンダーである。
【００１５】
課題を解決するための手段として、請求項２に記載の発明は、前記上方ローラｂと前記下方ローラｃの幅員が、前記カレンダー本体Ａの幅員よりも大きく形成せしめられていることを特徴とする請求項１に記載の回転式カレンダーである。  
【００１６】
課題を解決するための手段として、請求項３に記載の発明は、前記上方ローラｂと前記下方ローラｃが、縦断面が円形状となっていることを特徴とする請求項１又は２に記載の回転式カレンダーである。
【００１７】
課題を解決するための手段として、請求項４に記載の発明は、前記左側支持脚部ｄと前記右側支持脚部ｅが、線材を折曲し形成せしめられた下方突出部５に、吸着部６を取着せしめることを特徴とする請求項１又は２又は３に記載の回転式カレンダーである。
【００１８】
課題を解決するための手段として、請求項５に記載の発明は、前記左側支持脚部ｄが、上方部材９と下方部材９ａの２本からなり、前記上方部材９の下方端部７と、前記下方部材９ａの上方端部７に、夫々突っ張り杆８が接続せしめられていることを特徴とする請求項１又は２又は３又は４に記載の回転式カレンダーである。
【００１９】
課題を解決するための手段として、請求項６に記載の発明は、前記上方ローラｂと前記下方ローラｃの径が、同一寸法にて形成せしめられていることを特徴とする請求項１又は２又は３又は４又は５に記載の回転式カレンダーである。
【００２０】
課題を解決するための手段として、請求項７に記載の発明は、回転式カレンダーの製造法において、
第１工程として、暦の月日・７曜・祝祭日等が縦状に表示せしめられた１月から１２月までのフィルム状月別カレンダーａを接続せしめるカレンダー本体Ａを形成せしめ、
第２工程として、前記第１工程によって形成せしめられたカレンダー本体Ａの内側部に、前記カレンダー本体Ａが弛まず張られた状態を確保せしめることができるように上方ローラｂと下方ローラｃを嵌挿せしめ、
第３工程として、前記上方ローラｂと前記下方ローラｃの両端部１、２に、左側支持脚部ｄの端部３と右側支持脚部ｅの端部４を接続せしめて、前記上方ローラｂと前記下方ローラｃとを平行状に並列せしめ組立てることを特徴とする回転式カレンダーの製造法である。
【００２１】
課題を解決するための手段として、請求項８に記載の発明は、前記回転式カレンダーの製造法において、
前記上方ローラｂと前記下方ローラｃの幅員が、前記カレンダー本体Ａの幅員よりも大きく形成せしめることを特徴とする請求項７に記載の回転式カレンダーの製造法である。
【００２２】
課題を解決するための手段として、請求項９に記載の発明は、前記回転式カレンダーの製造法において、
前記上方ローラｂと前記下方ローラｃが、縦断面が円形状となっていることを特徴とする請求項７又は８に記載の回転式カレンダーの製造法である。
【００２３】
課題を解決するための手段として、請求項１０に記載の発明は、前記左側支持脚部ｄと前記右側支持脚部ｅが、線材を折曲し形成せしめられた下方突出部５に、吸着部６を取着せしめることを特徴とする請求項７又は８又は９に記載の回転式カレンダーの製造法である。
【００２４】
課題を解決するための手段として、請求項１１に記載の発明は、前記左側支持脚部ｄが、上方部材９と下方部材９ａの２本からなり、前記上方部材９の下方端部７と、前記下方部材９ａの上方端部７に、夫々突っ張り杆８が接続せしめられていることを特徴とする請求項７又は８又は９又は１０に記載の回転式カレンダーの製造法である。
【００２５】
課題を解決するための手段として、請求項１２に記載の発明は、前記上方ローラｂと前記下方ローラｃの径が、同一寸法にて形成せしめられていることを特徴とする請求項７又は８又は９又は１０又は１１に記載の回転式カレンダーの製造法である。
【発明の効果】
【００２６】
本発明は、上述のとおりの構成なので、エンドレス状に接続せしめられたカレンダー本体を、前記カレンダー本体の右端部等を手指で軽くつかみ、看者をして上方向もしくは下方向に所望する月表示部を極めて簡単且確実に表示せしめることができる利便がある。
【００２７】
本発明は、前記カレンダー本体を２本の平行状に並列せしめた上方ローラと下方ローラを２本の支持脚部によって常時弛まず、さらに突っ張り状態を持続せしめることができるので、看者らにとって極めて見易い利点がある。
【００２８】
本発明は、カレンダー本体の幅員より、上方ローラと下方ローラの幅員を大きくした構造なので、カレンダー本体が弛んだりしない利点がある。
【００２９】
本発明の回転式カレンダーの製造法が上述したとおりなので、回転式カレンダーの製造が極めて簡単にして、且確実に、そして安価に製造することができる利点がある。
【図面の簡単な説明】
【００３０】
【図１】本発明の回転式カレンダー及び製造法における回転式カレンダーの斜視図である。
【００３１】
【図２】同回転式カレンダーの正面図である。
【００３２】
【図３】同回転式カレンダーの背面図である。
【００３３】
【図４】同回転式カレンダーの平面図である。
【００３４】
【図５】同回転式カレンダーの右側面図である。
【発明を実施するための最良の形態】
【００３５】
本発明の請求項１〜１２に記載の発明に関する実施の形態は、共通しているので、一括して以下のとおり説明する。
【００３６】
図において、Ａは月日・７曜・祝祭日等が縦状に表示せしめられた１月から１２月までのフィルム状月別カレンダーａをエンドレス状にして、且リング状にて形成せしめられたカレンダー本体である。
【００３７】
ｂは通常縦断面形状が円形状をした長さが前記回転式カレンダー本体Ａを構成する月別カレンダーａの幅員よりも長目に形成せしめられた上方ローラである。
【００３８】
ｃは前記上方ローラｂと同じ構造にて形成せしめられた下方ローラである。
【００３９】
前記２本の上下方ローラｂ、ｃは、内部に充填部材２ａが詰められている。
【００４０】
ｄは線材を折曲せしめ形成された前記上下方ローラｂ、ｃを支持する左側支持脚部である。さらに、該左側支持脚部ｄは、上方部材９と下方部材９ａの２本からなり、前記上方部材９の下方端部７と、前記下方部材９ａの上方端部７に、夫々突っ張り杆８が接続せしめられている。ｅも前記左側支持脚部ｄと同じく前記上下方ローラｂ、ｃを支持する右側支持脚部である。
【００４１】
本発明において、前記２本のローラｂ、ｃの構造上の差異は、図１、２・・・等に図示されているように、左側支持脚部ｄが、２本の線材から構成されており、そして２本の線材の中、一方の端部４が、前記上方ローラｂに挿込まれ、他方の線材の一方の端部４が、前記下方ローラｃに挿込まれている。
【００４２】
他方、前記右側支持脚部ｅは、上方の端部４が、前記上方ローラｂの端部４に、下方の端部４が、前記下方ローラｃの端部１に夫々挿込まれている。
【００４３】
５は、前記左側支持脚部ｄと右側支持脚部ｅに、線材を折曲せしめ形成された下方突出部である。
【００４４】
６は、前記左側支持脚部ｄと右側支持脚部ｅの下方突出部５に取着せしめられた吸着部である。この吸着部６は市販されている物品で十分足りる。前記吸着部６は、通常左右両側支持脚部ｄ、ｅに２個設けられているが限定しない。
【００４５】
８は、前記左側支持脚部ｄの上方部材９の下方端部７と、前記下方部材９ａの上方端部７に接続せしめられた突っ張り杆である。この突っ張り杆８は容易に折曲しない線資材にて構成されている。
【００４６】
＜カレンダー本体Ａと上方ローラｂと下方ローラｃの組立方法＞
図１、２、３、４、５に図示する前記カレンダー本体Ａの内側部の上方部に、前記上方ローラｂを、前記カレンダー本体Ａの内側部の下方部に、前記カレンダー本体Ａが弛まないように前記下方ローラｃをセットせしめる。
【００４７】
つぎに、前記上方ローラｂと前記下方ローラｃの両端部１、２に、２本の線材からなる上方の左側支持脚部ｄを構成する上方部材９の上方部を、上方ローラｂの端部１に差込み、他方左側支持脚部ｄを構成する下方部材９ａの下方部を下方ローラｃの端部１に差込み後、前記上方部材の下方部と、前記下方部材の上方部に、前記突っ張り杆８を接続せしめる。その際、突っ張り杆８によって、前記左側支持脚部ｄが弛まず、しかも張られた状態となって組立てられる。
【００４８】
そして、前記上方ローラｂと前記下方ローラｃの右側端部２、２に、前記右側支持脚部ｅの上下方の端部４を差込んで組立てる。その際前記右側支持脚部ｅが、上方ローラｂと下方ローラｃによって突っ張られて支持されている前記カレンダー本体Ａを弛むことなく、突っ張り状態となって組立てられている。この点は本発明の構成上の必須要件である。
【００４９】
本発明の回転式カレンダーは、前記のような手順で組立てられる。
【００５０】
＜本発明の回転式カレンダーの製造法に関する実施例＞
本発明の回転式カレンダーに関する製造法は以下のとおりである。
【００５１】
第１工程として、暦の月日・７曜・祝祭日等が縦状に表示せしめられた１月から１２月までのフィルム状月別カレンダーａをリング状に接続せしめるカレンダー本体Ａを形成せしめる。
【００５２】
第２工程として、前記第１工程によって形成せしめられたカレンダー本体Ａの内側部に、前記カレンダー本体Ａが弛まず張られた状態を確保せしめることができる形状の上方ローラｂと下方ローラｃを嵌挿せしめる。
【００５３】
第３工程として、前記のような上方ローラｂと前記下方ローラｃの両端部１、２に、左側支持脚部ｄの上方部材９の端部３と、下方部材９ａの下方端部３と、右側支持脚部ｅの端部４を接続せしめる。
【００５４】
前記のようにして、組立てられた前記上方ローラｂと前記下方ローラｃは、幅員が、前記カレンダー本体Ａの幅員よりも大きく形成せしめられているので、前記カレンダー本体Ａの左右両側端部より、はみ出されることなく組立てられる（図１、２、３、４、５）。
【００５５】
そして、本発明においては、前記上方ローラｂと前記下方ローラｃが、縦断面が円形状となっているので、前記カレンダー本体Ａがスライドしやすい。
【００５６】
本発明は、前記左側支持脚部ｄと前記右側支持脚部ｅが、線材を折曲し形成せしめられた下方突出部５に、吸着部６を取着せしめることができるので、テーブルもしくは机上でも、さらに室内の壁面の適宜の個所に自由自在に吸着できる。
【００５７】
本発明は、前記左側支持脚部ｄの上方部材９の下方端部７と、下方部材９ａの上方端部７に、突っ張り杆８が接続せしめられているので、前記支持脚部ｄを常時突っ張らせておくことができる。そのため、前記カレンダー本体Ａを弛ませず、突っ張り状態を確実に確保せしめることができるので、看者が見易い。
【００５８】
本発明は、前記上方ローラｂと前記下方ローラｃの径が、同一寸法にて形成せしめられているので、ローラの製造金型が１種類で足りる。そのため回転式カレンダーの製造費が節減できる。
【００５９】
＜本発明の回転式カレンダーの使用方法＞
本発明の回転式カレンダーの使用方法について説明すると以下のとおりである。
【００６０】
図１、２に図示されている回転式カレンダー本体Ａの右側端部を手指でつかみ、上方向もしくは下方向に軽く移動するだけで、所望する月別カレンダーａをみることができる。
【００６１】
さらに、本発明の回転式カレンダーを、テーブルもしくは机上の表面部に固定したいときは、使用者が所望する前記テーブルもしくは机上の場所におき、軽く吸着部６を押すだけで確実に固定できる。
【００６２】
また、本発明の回転式カレンダーを室内の壁面部に固定するときも、所望する壁面部に当てて、前記吸着部６を押すだけで確実に固定できる。
【００６３】
さらに本発明の回転式カレンダーは、テーブルもしくは机上もしくは壁面に対し吸着せしめて使用することができるが、それ以外に、上方ローラｂ内に紐等を挿し通して吊下げて使用することもできる。
【００６４】
以上、実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００６５】
Ａ        カレンダー本体
ａ        月別カレンダー
ｂ        上方ローラ
ｃ        下方ローラ
ｄ        左側支持脚部
ｅ        右側支持脚部
１        端部
２        端部
２ａ      充填部材
３        端部
４        端部
５        下方突出部
６        吸着部
７        端部
８        突っ張り杆
９        上方部材
９ａ      下方部材
【図１】
2020001206.tif 000003
【図２】
2020001206.tif 000004
【図３】
2020001206.tif 000005
【図４】
2020001206.tif 000006
【図５】
2020001206.tif 000007
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
月日・７曜・祝祭日等が縦状に表示せしめられた１月から１２月までのフィルム状月別カレンダーを接続せしめたエンドレス状にして且リング状のカレンダー本体を形成せしめ、前記カレンダー本体のリング状内側部に、上方ローラと下方ローラを嵌挿せしめ、前記上方ローラと下方ローラの両端部に、前記上方ローラと下方ローラが、弛まず張られた状態を確保せしめることができるように、左側支持脚部の端部と右側支持脚部の端部を接続せしめて、前記上方ローラと前記下方ローラとを平行状に並列せしめ組立てられていることを特徴とする回転式カレンダー。
【請求項２】
前記上方ローラと前記下方ローラの幅員が、前記カレンダー本体の幅員よりも大きく形成せしめられていることを特徴とする、請求項１に記載の回転式カレンダー。
【請求項３】
前記上方ローラと前記下方ローラが、縦断面が円形状に形成せしめられていることを特徴とする、請求項１又は２に記載の回転式カレンダー。
【請求項４】
前記左側支持脚部と前記右側支持脚部が、線材を折曲し形成せしめられた下方突出部に、吸着部を取着せしめられていることを特徴とする、請求項１又は２又は３に記載の回転式カレンダー。
【請求項５】
前記左側支持脚部が、上方部材と下方部材の２本からなり、前記上方部材の下方端部と、前記下方部材の上方端部に、夫々突っ張り杆が接続せしめられていることを特徴とする、請求項１又は２又は３又は４に記載の回転式カレンダー。
【請求項６】
前記上方ローラと前記下方ローラの径が、同一寸法にて形成せしめられていることを特徴とする、請求項１又は２又は３又は４又は５に記載の回転式カレンダー。
【請求項７】
回転式カレンダーの製造法において、
第１工程として、暦の月日・７曜・祝祭日等が縦状に表示せしめられた１月から１２月までのフィルム状月別カレンダーを接続せしめるカレンダー本体を形成せしめ、
第２工程として、前記第１工程によって形成せしめられたカレンダー本体の内側部に、前記カレンダー本体が弛まず張られた状態を確保せしめることができるように上方ローラと下方ローラを嵌挿せしめ、
第３工程として、前記上方ローラと前記下方ローラの両端部に、左側支持脚部の端部と右側支持脚部の端部を接続せしめて、前記上方ローラと前記下方ローラとを平行状に並列せしめ組立てられていることを特徴とする、回転式カレンダーの製造法。
【請求項８】
前記回転式カレンダーの製造法において、
前記上方ローラと前記下方ローラの幅員が、前記カレンダー本体の幅員よりも大きく形成せしめられていることを特徴とする、請求項７に記載の回転式カレンダーの製造法。
【請求項９】
前記回転式カレンダーの製造法において、
前記上方ローラと前記下方ローラが、縦断面が円形状に形成せしめられていることを特徴とする、請求項７又は８に記載の回転式カレンダーの製造法。
【請求項１０】
前記左側支持脚部と前記右側支持脚部が、線材を折曲し形成せしめられた下方突出部に、吸着部を取着せしめられていることを特徴とする、請求項７又は８又は９に記載の回転式カレンダーの製造法。
【請求項１１】
前記左側支持脚部が、上方部材と下方部材の２本からなり、前記上方部材の下方端部と、前記下方部材の上方端部に、夫々突っ張り杆が接続せしめられていることを特徴とする、請求項７又は８又は９又は１０に記載の回転式カレンダーの製造法。
【請求項１２】
前記上方ローラと前記下方ローラの径が、同一寸法にて形成せしめられていることを特徴とする、請求項７又は８又は９又は１０又は１１に記載の回転式カレンダーの製造法。
【手続補正２】
【補正対象書類名】明細書
【補正対象項目名】全文
【補正方法】変更
【補正の内容】
【発明の詳細な説明】
【技術分野】
【０００１】
本発明は、縦状に表示の１月から１２月までのエンドレス状にして且リング状の月別カレンダー本体の内側部に、上方ローラと下方ローラを平行状に嵌挿せしめ、前記上方ローラと下方ローラの両端部に、左右両側支持脚部を接続せしめ、前記上方ローラと下方ローラを平行状に突っ張り並列せしめ組立てる回転式カレンダー及び製造法の技術分野に関するものである。
【背景技術】
【０００２】
従来、ローリングカレンダーが下記特許文献１（実開平５−２６４４８公報）に開示されている。
【０００３】
当該ローリングカレンダーは、１日毎にメモ用スペースを有し、該メモ用スペースに記録した情報を検索し易い様にしたローリングカレンダーであって、その具体的構成は以下のとおりである。
【０００４】
すなわち、従来開示のローリングカレンダーは、ロール状カレンダー１０と、該ロール状カレンダー１０の両端をそれぞれ巻取る２本の軸１１，１１′と、該軸１１，１１′を回転可能に支持する枠１２とを具備し、該枠１２は、上面板１３と四周の側板１４とを有し、底部が開放した浅い箱状をなし、その上面板１３の対向する２辺のそれぞれ近傍には互いに平行した２つのスリット１５，１５′が形成され、且つ一方のスリット１５′の近傍には該スリットに平行して曜日１６が印刷され、該枠１２の側板１４には前記２本の軸１１，１１′を前記スリット１５，１５′に平行して回転可能に支持する軸受孔１７，１７′が形成され、前記軸１１，１１′は、一端につまみ１８を有し、前記枠１２の軸受孔１７，１７′に支持され、前記ロール状カレンダー１０は、その長手方向に７列に設けられてメモ用スペース２０となるマス目２１と、該マス目２１の一隅に前記枠１２に印刷された曜日１６に合わせた月日２２とが印刷され、且つ該ロール状カレンダー１０の一端は前記一方のスリット１５を通して一方の軸１１に固着され、他端は前記他方のスリット１５′を通して他方の軸１１′に固着され、該軸１１，１１′によりロール状カレンダー１０を巻き取ることにより上面板１３の両スリット１５，１５′間に任意の月日を表示可能としたものである。
【０００５】
また、それに加えて、上記ロール紙１０に印刷された月日２２は隣接する月の印刷色が互いに異なることを特徴とする。この構成を採ることにより、メモ用スペースを有し、該メモ用スペースに記録した情報を検索し易い様にしたローリングカレンダーが得られるとするものである。
【先行技術文献】
【特許文献】
【０００６】
【特許文献１】実開平５−２６４４８公報
【発明の概要】
【発明が解決しようとする課題】
【０００７】
前記特許文献１に係る実開平５−２６４４８公報に記載の考案のローリングカレンダーは、該カレンダーを構成するロール状カレンダー１０の上下方部分が、２本の軸１１，１１′に巻取られている構造のため、各月（１〜１２月まで）の日付と曜日や祝祭日をスムーズに極めて簡単にして、且迅速に見ることが出来にくい構造となっている。
【０００８】
さらに、前記した従来開示のローリングカレンダーは、箱状タイプのため、カレンダー１０自体を手指でつかみながら容易に操作することができない構造となっている。
【０００９】
また前記した従来開示のローリングカレンダーは、机上に吸着せしめ固定したり、壁面に吸着せしめ固定することができない構造となっている。
【００１０】
しかるに、本発明が解決しようとする課題は、１月から１２月までの月別カレンダー本体のリング状内側部に、上方ローラと下方ローラを前記月別カレンダーに対し、直角状にして、且並列状に嵌挿せしめて、弛まず張られた状態を確保した構造にして、前記月別カレンダー本体を手指でつかみ、さらに月別カレンダー本体を上方向もしくは下方向にスライド可能な構造なので、所望する月毎の曜日、祝祭日等を極めて迅速にして且簡単に見ることができるようにした。
【００１１】
さらに、本発明の回転式カレンダーは、机上や室内の壁面に吸着せしめて、所望する月毎の曜日、祝祭日等を極めて迅速にして且簡単に見ることができるようにした。
【００１２】
本発明の回転式カレンダーは、カレンダー本体を前記カレンダー本体に対し直角状にして、且平行状に２本のローラに左右両側支持脚部を挿込み、常時突っ張り状態を持続せしめながら、カレンダー本体を弛むことなくカレンダー本体を極めて見易くした。
【００１３】
本発明の回転式カレンダーは、第１工程としてカレンダー本体を、第２工程としてカレンダー本体の内側に２つの上下方ローラを挿入せしめる工程とし、第３工程として、前記２本の上下方ローラを２本の左右両側支持脚部によって平行状に並列せしめて極めて簡単に製造できるようにした。
【課題を解決するための手段】
【００１４】
課題を解決するための手段として、請求項１に記載の発明は、月日・７曜・祝祭日等が縦状に表示せしめられた１月から１２月までのフィルム状月別カレンダーを接続せしめたエンドレス状にして且リング状のカレンダー本体を形成せしめ、前記カレンダー本体のリング状内側部に、上方ローラと下方ローラを嵌挿せしめ、前記上方ローラと下方ローラの両端部に、前記上方ローラと下方ローラが、弛まず張られた状態を確保せしめることができるように、左側支持脚部の端部と右側支持脚部の端部を接続せしめて、前記上方ローラと前記下方ローラとを平行状に並列せしめ組立てられていることを特徴とする回転式カレンダーである。
【００１５】
課題を解決するための手段として、請求項２に記載の発明は、前記上方ローラｂと前記下方ローラｃの幅員が、前記カレンダー本体Ａの幅員よりも大きく形成せしめられていることを特徴とする請求項１に記載の回転式カレンダーである。  
【００１６】
課題を解決するための手段として、請求項３に記載の発明は、前記上方ローラと前記下方ローラが、縦断面が円形状に形成せしめられていることを特徴とする、請求項１又は２に記載の回転式カレンダーである。
【００１７】
課題を解決するための手段として、請求項４に記載の発明は、前記左側支持脚部と前記右側支持脚部が、線材を折曲し形成せしめられた下方突出部に、吸着部を取着せしめられていることを特徴とする、請求項１又は２又は３に記載の回転式カレンダーである。
【００１８】
課題を解決するための手段として、請求項５に記載の発明は、前記左側支持脚部ｄが、上方部材９と下方部材９ａの２本からなり、前記上方部材９の下方端部７と、前記下方部材９ａの上方端部７に、夫々突っ張り杆８が接続せしめられていることを特徴とする請求項１又は２又は３又は４に記載の回転式カレンダーである。
【００１９】
課題を解決するための手段として、請求項６に記載の発明は、前記上方ローラｂと前記下方ローラｃの径が、同一寸法にて形成せしめられていることを特徴とする請求項１又は２又は３又は４又は５に記載の回転式カレンダーである。
【００２０】
課題を解決するための手段として、請求項７に記載の発明は、回転式カレンダーの製造法において、
第１工程として、暦の月日・７曜・祝祭日等が縦状に表示せしめられた１月から１２月までのフィルム状月別カレンダーを接続せしめるカレンダー本体を形成せしめ、
第２工程として、前記第１工程によって形成せしめられたカレンダー本体の内側部に、前記カレンダー本体が弛まず張られた状態を確保せしめることができるように上方ローラと下方ローラを嵌挿せしめ、
第３工程として、前記上方ローラと前記下方ローラの両端部に、左側支持脚部の端部と右側支持脚部の端部を接続せしめて、前記上方ローラと前記下方ローラとを平行状に並列せしめ組立てられていることを特徴とする、回転式カレンダーの製造法である。
【００２１】
課題を解決するための手段として、請求項８に記載の発明は、前記回転式カレンダーの製造法において、
前記上方ローラと前記下方ローラの幅員が、前記カレンダー本体の幅員よりも大きく形成せしめられていることを特徴とする、請求項７に記載の回転式カレンダーの製造法である。
【００２２】
課題を解決するための手段として、請求項９に記載の発明は、前記回転式カレンダーの製造法において、
前記上方ローラと前記下方ローラが、縦断面が円形状に形成せしめられていることを特徴とする、請求項７又は８に記載の回転式カレンダーの製造法である。
【００２３】
課題を解決するための手段として、請求項１０に記載の発明は、前記左側支持脚部と前記右側支持脚部が、線材を折曲し形成せしめられた下方突出部に、吸着部を取着せしめられていることを特徴とする、請求項７又は８又は９に記載の回転式カレンダーの製造法である。
【００２４】
課題を解決するための手段として、請求項１１に記載の発明は、前記左側支持脚部ｄが、上方部材９と下方部材９ａの２本からなり、前記上方部材９の下方端部７と、前記下方部材９ａの上方端部７に、夫々突っ張り杆８が接続せしめられていることを特徴とする請求項７又は８又は９又は１０に記載の回転式カレンダーの製造法である。
【００２５】
課題を解決するための手段として、請求項１２に記載の発明は、前記上方ローラｂと前記下方ローラｃの径が、同一寸法にて形成せしめられていることを特徴とする請求項７又は８又は９又は１０又は１１に記載の回転式カレンダーの製造法である。
【発明の効果】
【００２６】
本発明は、上述のとおりの構成なので、エンドレス状に接続せしめられたカレンダー本体を、前記カレンダー本体の右端部等を手指で軽くつかみ、看者をして上方向もしくは下方向に所望する月表示部を極めて簡単且確実に表示せしめることができる利便がある。
【００２７】
本発明は、前記カレンダー本体を２本の平行状に並列せしめた上方ローラと下方ローラを２本の支持脚部によって常時弛まず、さらに突っ張り状態を持続せしめることができるので、看者らにとって極めて見易い利点がある。
【００２８】
本発明は、カレンダー本体の幅員より、上方ローラと下方ローラの幅員を大きくした構造なので、カレンダー本体が弛んだりしない利点がある。
【００２９】
本発明の回転式カレンダーの製造法が上述したとおりなので、回転式カレンダーの製造が極めて簡単にして、且確実に、そして安価に製造することができる利点がある。
【図面の簡単な説明】
【００３０】
【図１】本発明の回転式カレンダー及び製造法における回転式カレンダーの斜視図である。
【００３１】
【図２】同回転式カレンダーの正面図である。
【００３２】
【図３】同回転式カレンダーの背面図である。
【００３３】
【図４】同回転式カレンダーの平面図である。
【００３４】
【図５】同回転式カレンダーの右側面図である。
【発明を実施するための最良の形態】
【００３５】
本発明の請求項１〜１２に記載の発明に関する実施の形態は、共通しているので、一括して以下のとおり説明する。
【００３６】
図において、Ａは月日・７曜・祝祭日等が縦状に表示せしめられた１月から１２月までのフィルム状月別カレンダーａをエンドレス状にして、且リング状にて形成せしめられたカレンダー本体である。
【００３７】
ｂは通常縦断面形状が円形状をした長さが前記回転式カレンダー本体Ａを構成する月別カレンダーａの幅員よりも長目に形成せしめられた上方ローラである。
【００３８】
ｃは前記上方ローラｂと同じ構造にて形成せしめられた下方ローラである。
【００３９】
前記２本の上下方ローラｂ、ｃは、内部に充填部材２ａが詰められている。
【００４０】
ｄは線材を折曲せしめ形成された前記上下方ローラｂ、ｃを支持する左側支持脚部である。さらに、該左側支持脚部ｄは、上方部材９と下方部材９ａの２本からなり、前記上方部材９の下方端部７と、前記下方部材９ａの上方端部７に、夫々突っ張り杆８が接続せしめられている。ｅも前記左側支持脚部ｄと同じく前記上下方ローラｂ、ｃを支持する右側支持脚部である。
【００４１】
本発明において、前記２本のローラｂ、ｃの構造上の差異は、図１、２・・・等に図示されているように、左側支持脚部ｄが、２本の線材から構成されており、そして２本の線材の中、一方の端部４が、前記上方ローラｂに挿込まれ、他方の線材の一方の端部４が、前記下方ローラｃに挿込まれている。
【００４２】
他方、前記右側支持脚部ｅは、上方の端部４が、前記上方ローラｂの端部４に、下方の端部４が、前記下方ローラｃの端部１に夫々挿込まれている。
【００４３】
５は、前記左側支持脚部ｄと右側支持脚部ｅに、線材を折曲せしめ形成された下方突出部である。
【００４４】
６は、前記左側支持脚部ｄと右側支持脚部ｅの下方突出部５に取着せしめられた吸着部である。この吸着部６は市販されている物品で十分足りる。前記吸着部６は、通常左右両側支持脚部ｄ、ｅに２個設けられているが限定しない。
【００４５】
８は、前記左側支持脚部ｄの上方部材９の下方端部７と、前記下方部材９ａの上方端部７に接続せしめられた突っ張り杆である。この突っ張り杆８は容易に折曲しない線資材にて構成されている。
【００４６】
＜カレンダー本体Ａと上方ローラｂと下方ローラｃの組立方法＞
図１、２、３、４、５に図示する前記カレンダー本体Ａの内側部の上方部に、前記上方ローラｂを、前記カレンダー本体Ａの内側部の下方部に、前記カレンダー本体Ａが弛まないように前記下方ローラｃをセットせしめる。
【００４７】
つぎに、前記上方ローラｂと前記下方ローラｃの両端部１、２に、２本の線材からなる上方の左側支持脚部ｄを構成する上方部材９の上方部を、上方ローラｂの端部１に差込み、他方左側支持脚部ｄを構成する下方部材９ａの下方部を下方ローラｃの端部１に差込み後、前記上方部材の下方部と、前記下方部材の上方部に、前記突っ張り杆８を接続せしめる。その際、突っ張り杆８によって、前記左側支持脚部ｄが弛まず、しかも張られた状態となって組立てられる。
【００４８】
そして、前記上方ローラｂと前記下方ローラｃの右側端部２、２に、前記右側支持脚部ｅの上下方の端部４を差込んで組立てる。その際前記右側支持脚部ｅが、上方ローラｂと下方ローラｃによって突っ張られて支持されている前記カレンダー本体Ａを弛むことなく、突っ張り状態となって組立てられている。この点は本発明の構成上の必須要件である。
【００４９】
本発明の回転式カレンダーは、前記のような手順で組立てられる。
【００５０】
＜本発明の回転式カレンダーの製造法に関する実施例＞
本発明の回転式カレンダーに関する製造法は以下のとおりである。
【００５１】
第１工程として、暦の月日・７曜・祝祭日等が縦状に表示せしめられた１月から１２月までのフィルム状月別カレンダーａをリング状に接続せしめるカレンダー本体Ａを形成せしめる。
【００５２】
第２工程として、前記第１工程によって形成せしめられたカレンダー本体Ａの内側部に、前記カレンダー本体Ａが弛まず張られた状態を確保せしめることができる形状の上方ローラｂと下方ローラｃを嵌挿せしめる。
【００５３】
第３工程として、前記のような上方ローラｂと前記下方ローラｃの両端部１、２に、左側支持脚部ｄの上方部材９の端部３と、下方部材９ａの下方端部３と、右側支持脚部ｅの端部４を接続せしめる。
【００５４】
前記のようにして、組立てられた前記上方ローラｂと前記下方ローラｃは、幅員が、前記カレンダー本体Ａの幅員よりも大きく形成せしめられているので、前記カレンダー本体Ａの左右両側端部より、はみ出されることなく組立てられる（図１、２、３、４、５）。
【００５５】
そして、本発明においては、前記上方ローラｂと前記下方ローラｃが、縦断面が円形状となっているので、前記カレンダー本体Ａがスライドしやすい。
【００５６】
本発明は、前記左側支持脚部ｄと前記右側支持脚部ｅが、線材を折曲し形成せしめられた下方突出部５に、吸着部６を取着せしめることができるので、テーブルもしくは机上でも、さらに室内の壁面の適宜の個所に自由自在に吸着できる。
【００５７】
本発明は、前記左側支持脚部ｄの上方部材９の下方端部７と、下方部材９ａの上方端部７に、突っ張り杆８が接続せしめられているので、前記支持脚部ｄを常時突っ張らせておくことができる。そのため、前記カレンダー本体Ａを弛ませず、突っ張り状態を確実に確保せしめることができるので、看者が見易い。
【００５８】
本発明は、前記上方ローラｂと前記下方ローラｃの径が、同一寸法にて形成せしめられているので、ローラの製造金型が１種類で足りる。そのため回転式カレンダーの製造費が節減できる。
【００５９】
＜本発明の回転式カレンダーの使用方法＞
本発明の回転式カレンダーの使用方法について説明すると以下のとおりである。
【００６０】
図１、２に図示されている回転式カレンダー本体Ａの右側端部を手指でつかみ、上方向もしくは下方向に軽く移動するだけで、所望する月別カレンダーａをみることができる。
【００６１】
さらに、本発明の回転式カレンダーを、テーブルもしくは机上の表面部に固定したいときは、使用者が所望する前記テーブルもしくは机上の場所におき、軽く吸着部６を押すだけで確実に固定できる。
【００６２】
また、本発明の回転式カレンダーを室内の壁面部に固定するときも、所望する壁面部に当てて、前記吸着部６を押すだけで確実に固定できる。
【００６３】
さらに本発明の回転式カレンダーは、テーブルもしくは机上もしくは壁面に対し吸着せしめて使用することができるが、それ以外に、上方ローラｂ内に紐等を挿し通して吊下げて使用することもできる。
【００６４】
以上、実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００６５】
Ａ        カレンダー本体
ａ        月別カレンダー
ｂ        上方ローラ
ｃ        下方ローラ
ｄ        左側支持脚部
ｅ        右側支持脚部
１        端部
２        端部
２ａ      充填部材
３        端部
４        端部
５        下方突出部
６        吸着部
７        端部
８        突っ張り杆
９        上方部材
９ａ      下方部材
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
月日・７曜・祝祭日等が縦状に表示せしめられた１月から１２月までのフィルム状月別カレンダーを接続せしめたエンドレス状にして且リング状のカレンダー本体を形成せしめ、前記カレンダー本体のリング状内側部に、上方ローラと下方ローラを嵌挿せしめ、前記上方ローラと下方ローラの両端部に、前記上方ローラと下方ローラが、弛まず張られた状態を確保せしめることができるように、左側支持脚部の端部と右側支持脚部の端部を接続せしめて、前記上方ローラと前記下方ローラとを平行状に並列せしめ組立てられ、前記上方ローラと前記下方ローラの幅員が、前記カレンダー本体の幅員よりも大きく形成せしめられ、前記上方ローラと前記下方ローラが、縦断面が円形状に形成せしめられ、  前記左側支持脚部と前記右側支持脚部が、線材を折曲し形成せしめられた下方突出部に、吸着部を取着せしめられ、前記左側支持脚部が、上方部材と下方部材の２本からなり、前記上方部材の下方端部と、前記下方部材の上方端部に、夫々突っ張り杆が接続せしめられていることを特徴とする回転式カレンダー。
【手続補正２】
【補正対象書類名】明細書
【補正対象項目名】全文
【補正方法】変更
【補正の内容】
【発明の詳細な説明】
【技術分野】
【０００１】
本発明は、縦状に表示の１月から１２月までのエンドレス状にして且リング状の月別カレンダー本体の内側部に、上方ローラと下方ローラを平行状に嵌挿せしめ、前記上方ローラと下方ローラの両端部に、左右両側支持脚部を接続せしめ、前記上方ローラと下方ローラを平行状に突っ張り並列せしめ組立てる回転式カレンダーの技術分野に関するものである。
【背景技術】
【０００２】
従来、ローリングカレンダーが下記特許文献１（実開平５−２６４４８公報）に開示されている。
【０００３】
当該ローリングカレンダーは、１日毎にメモ用スペースを有し、該メモ用スペースに記録した情報を検索し易い様にしたローリングカレンダーであって、その具体的構成は以下のとおりである。
【０００４】
すなわち、従来開示のローリングカレンダーは、ロール状カレンダー１０と、該ロール状カレンダー１０の両端をそれぞれ巻取る２本の軸１１，１１′と、該軸１１，１１′を回転可能に支持する枠１２とを具備し、該枠１２は、上面板１３と四周の側板１４とを有し、底部が開放した浅い箱状をなし、その上面板１３の対向する２辺のそれぞれ近傍には互いに平行した２つのスリット１５，１５′が形成され、且つ一方のスリット１５′の近傍には該スリットに平行して曜日１６が印刷され、該枠１２の側板１４には前記２本の軸１１，１１′を前記スリット１５，１５′に平行して回転可能に支持する軸受孔１７，１７′が形成され、前記軸１１，１１′は、一端につまみ１８を有し、前記枠１２の軸受孔１７，１７′に支持され、前記ロール状カレンダー１０は、その長手方向に７列に設けられてメモ用スペース２０となるマス目２１と、該マス目２１の一隅に前記枠１２に印刷された曜日１６に合わせた月日２２とが印刷され、且つ該ロール状カレンダー１０の一端は前記一方のスリット１５を通して一方の軸１１に固着され、他端は前記他方のスリット１５′を通して他方の軸１１′に固着され、該軸１１，１１′によりロール状カレンダー１０を巻き取ることにより上面板１３の両スリット１５，１５′間に任意の月日を表示可能としたものである。
【０００５】
また、それに加えて、上記ロール紙１０に印刷された月日２２は隣接する月の印刷色が互いに異なることを特徴とする。この構成を採ることにより、メモ用スペースを有し、該メモ用スペースに記録した情報を検索し易い様にしたローリングカレンダーが得られるとするものである。
【先行技術文献】
【特許文献】
【０００６】
【特許文献１】実開平５−２６４４８公報
【発明の概要】
【発明が解決しようとする課題】
【０００７】
前記特許文献１に係る実開平５−２６４４８公報に記載の考案のローリングカレンダーは、該カレンダーを構成するロール状カレンダー１０の上下方部分が、２本の軸１１，１１′に巻取られている構造のため、各月（１〜１２月まで）の日付と曜日や祝祭日をスムーズに極めて簡単にして、且迅速に見ることが出来にくい構造となっている。
【０００８】
さらに、前記した従来開示のローリングカレンダーは、箱状タイプのため、カレンダー１０自体を手指でつかみながら容易に操作することができない構造となっている。
【０００９】
また前記した従来開示のローリングカレンダーは、机上に吸着せしめ固定したり、壁面に吸着せしめ固定することができない構造となっている。
【００１０】
しかるに、本発明が解決しようとする課題は、１月から１２月までの月別カレンダー本体のリング状内側部に、上方ローラと下方ローラを前記月別カレンダーに対し、直角状にして、且並列状に嵌挿せしめて、弛まず張られた状態を確保した構造にして、前記月別カレンダー本体を手指でつかみ、さらに月別カレンダー本体を上方向もしくは下方向にスライド可能な構造なので、所望する月毎の曜日、祝祭日等を極めて迅速にして且簡単に見ることができるようにした。
【００１１】
さらに、本発明の回転式カレンダーは、机上や室内の壁面に吸着せしめて、所望する月毎の曜日、祝祭日等を極めて迅速にして且簡単に見ることができるようにした。
【００１２】
本発明の回転式カレンダーは、カレンダー本体を前記カレンダー本体に対し直角状にして、且平行状に２本のローラに左右両側支持脚部を挿込み、常時突っ張り状態を持続せしめながら、カレンダー本体を弛むことなくカレンダー本体を極めて見易くした。
【００１３】
本発明の回転式カレンダーは、第１工程としてカレンダー本体を、第２工程としてカレンダー本体の内側に２つの上下方ローラを挿入せしめる工程とし、第３工程として、前記２本の上下方ローラを２本の左右両側支持脚部によって平行状に並列せしめて極めて簡単に製造できるようにした。
【課題を解決するための手段】
【００１４】
課題を解決するための手段として、請求項１に記載の発明は、月日・７曜・祝祭日等が縦状に表示せしめられた１月から１２月までのフィルム状月別カレンダーａを接続せしめたエンドレス状にして且リング状のカレンダー本体Ａを形成せしめ、前記カレンダー本体Ａのリング状内側部に、上方ローラｂと下方ローラｃを嵌挿せしめ、前記上方ローラｂと下方ローラｃの両端部に、前記上方ローラｂと下方ローラｃが、弛まず張られた状態を確保せしめることができるように、左側支持脚部ｄの端部３と右側支持脚部ｅの端部４を接続せしめて、前記上方ローラｂと前記下方ローラｃとを平行状に並列せしめ組立てられ、前記上方ローラｂと前記下方ローラｃの幅員が、前記カレンダー本体Ａの幅員よりも大きく形成せしめられ、前記上方ローラｂと前記下方ローラｃが、縦断面が円形状に形成せしめられ、  前記左側支持脚部ｄと前記右側支持脚部ｅが、線材を折曲し形成せしめられた下方突出部５に、吸着部６を取着せしめられ、前記左側支持脚部ｄが、上方部材９と下方部材９ａの２本からなり、前記上方部材９の下方端部７と、前記下方部材９ａの上方端部７に、夫々突っ張り杆８が接続せしめられていることを特徴とする回転式カレンダーである。
【発明の効果】
【００１５】
本発明は、上述のとおりの構成なので、エンドレス状に接続せしめられたカレンダー本体を、前記カレンダー本体の右端部等を手指で軽くつかみ、看者をして上方向もしくは下方向に所望する月表示部を極めて簡単且確実に表示せしめることができる利便がある。
【００１６】
本発明は、前記カレンダー本体を２本の平行状に並列せしめた上方ローラと下方ローラを２本の支持脚部によって常時弛まず、さらに突っ張り状態を持続せしめることができるので、看者らにとって極めて見易い利点がある。
【００１７】
本発明は、カレンダー本体の幅員より、上方ローラと下方ローラの幅員を大きくした構造なので、カレンダー本体が弛んだりしない利点がある。
【図面の簡単な説明】
【００１８】
【図１】本発明の回転式カレンダーにおける回転式カレンダーの斜視図である。
【００１９】
【図２】同回転式カレンダーの正面図である。
【００２０】
【図３】同回転式カレンダーの背面図である。
【００２１】
【図４】同回転式カレンダーの平面図である。
【００２２】
【図５】同回転式カレンダーの右側面図である。
【発明を実施するための最良の形態】
【００２３】
本発明の請求項１に記載の発明に関する実施の形態は、以下のとおり説明する。
【００２４】
図において、Ａは月日・７曜・祝祭日等が縦状に表示せしめられた１月から１２月までのフィルム状月別カレンダーａをエンドレス状にして、且リング状にて形成せしめられたカレンダー本体である。
【００２５】
ｂは通常縦断面形状が円形状をした長さが前記回転式カレンダー本体Ａを構成する月別カレンダーａの幅員よりも長目に形成せしめられた上方ローラである。
【００２６】
ｃは前記上方ローラｂと同じ構造にて形成せしめられた下方ローラである。
【００２７】
前記２本の上下方ローラｂ、ｃは、内部に充填部材２ａが詰められている。
【００２８】
ｄは線材を折曲せしめ形成された前記上下方ローラｂ、ｃを支持する左側支持脚部である。さらに、該左側支持脚部ｄは、上方部材９と下方部材９ａの２本からなり、前記上方部材９の下方端部７と、前記下方部材９ａの上方端部７に、夫々突っ張り杆８が接続せしめられている。ｅも前記左側支持脚部ｄと同じく前記上下方ローラｂ、ｃを支持する右側支持脚部である。
【００２９】
本発明において、前記２本のローラｂ、ｃの構造上の差異は、図１、２・・・等に図示されているように、左側支持脚部ｄが、２本の線材から構成されており、そして２本の線材の中、一方の端部４が、前記上方ローラｂに挿込まれ、他方の線材の一方の端部４が、前記下方ローラｃに挿込まれている。
【００３０】
他方、前記右側支持脚部ｅは、上方の端部４が、前記上方ローラｂの端部４に、下方の端部４が、前記下方ローラｃの端部１に夫々挿込まれている。
【００３１】
５は、前記左側支持脚部ｄと右側支持脚部ｅに、線材を折曲せしめ形成された下方突出部である。
【００３２】
６は、前記左側支持脚部ｄと右側支持脚部ｅの下方突出部５に取着せしめられた吸着部である。この吸着部６は市販されている物品で十分足りる。前記吸着部６は、通常左右両側支持脚部ｄ、ｅに２個設けられているが限定しない。
【００３３】
８は、前記左側支持脚部ｄの上方部材９の下方端部７と、前記下方部材９ａの上方端部７に接続せしめられた突っ張り杆である。この突っ張り杆８は容易に折曲しない線資材にて構成されている。
【００３４】
＜カレンダー本体Ａと上方ローラｂと下方ローラｃの組立方法＞
図１、２、３、４、５に図示する前記カレンダー本体Ａの内側部の上方部に、前記上方ローラｂを、前記カレンダー本体Ａの内側部の下方部に、前記カレンダー本体Ａが弛まないように前記下方ローラｃをセットせしめる。
【００３５】
つぎに、前記上方ローラｂと前記下方ローラｃの両端部１、２に、２本の線材からなる上方の左側支持脚部ｄを構成する上方部材９の上方部を、上方ローラｂの端部１に差込み、他方左側支持脚部ｄを構成する下方部材９ａの下方部を下方ローラｃの端部１に差込み後、前記上方部材の下方部と、前記下方部材の上方部に、前記突っ張り杆８を接続せしめる。その際、突っ張り杆８によって、前記左側支持脚部ｄが弛まず、しかも張られた状態となって組立てられる。
【００３６】
そして、前記上方ローラｂと前記下方ローラｃの右側端部２、２に、前記右側支持脚部ｅの上下方の端部４を差込んで組立てる。その際前記右側支持脚部ｅが、上方ローラｂと下方ローラｃによって突っ張られて支持されている前記カレンダー本体Ａを弛むことなく、突っ張り状態となって組立てられている。この点は本発明の構成上の必須要件である。
【００３７】
本発明の回転式カレンダーは、前記のような手順で組立てられる。
【００３８】
＜本発明の回転式カレンダーの製造法に関する実施例＞
本発明の回転式カレンダーに関する製造法は以下のとおりである。
【００３９】
第１工程として、暦の月日・７曜・祝祭日等が縦状に表示せしめられた１月から１２月までのフィルム状月別カレンダーａをリング状に接続せしめるカレンダー本体Ａを形成せしめる。
【００４０】
第２工程として、前記第１工程によって形成せしめられたカレンダー本体Ａの内側部に、前記カレンダー本体Ａが弛まず張られた状態を確保せしめることができる形状の上方ローラｂと下方ローラｃを嵌挿せしめる。
【００４１】
第３工程として、前記のような上方ローラｂと前記下方ローラｃの両端部１、２に、左側支持脚部ｄの上方部材９の端部３と、下方部材９ａの下方端部３と、右側支持脚部ｅの端部４を接続せしめる。
【００４２】
前記のようにして、組立てられた前記上方ローラｂと前記下方ローラｃは、幅員が、前記カレンダー本体Ａの幅員よりも大きく形成せしめられているので、前記カレンダー本体Ａの左右両側端部より、はみ出されることなく組立てられる（図１、２、３、４、５）。
【００４３】
そして、本発明においては、前記上方ローラｂと前記下方ローラｃが、縦断面が円形状となっているので、前記カレンダー本体Ａがスライドしやすい。
【００４４】
本発明は、前記左側支持脚部ｄと前記右側支持脚部ｅが、線材を折曲し形成せしめられた下方突出部５に、吸着部６を取着せしめることができるので、テーブルもしくは机上でも、さらに室内の壁面の適宜の個所に自由自在に吸着できる。
【００４５】
本発明は、前記左側支持脚部ｄの上方部材９の下方端部７と、下方部材９ａの上方端部７に、突っ張り杆８が接続せしめられているので、前記支持脚部ｄを常時突っ張らせておくことができる。そのため、前記カレンダー本体Ａを弛ませず、突っ張り状態を確実に確保せしめることができるので、看者が見易い。
【００４６】
本発明は、前記上方ローラｂと前記下方ローラｃの径が、同一寸法にて形成せしめられているので、ローラの製造金型が１種類で足りる。そのため回転式カレンダーの製造費が節減できる。
【００４７】
＜本発明の回転式カレンダーの使用方法＞
本発明の回転式カレンダーの使用方法について説明すると以下のとおりである。
【００４８】
図１、２に図示されている回転式カレンダー本体Ａの右側端部を手指でつかみ、上方向もしくは下方向に軽く移動するだけで、所望する月別カレンダーａをみることができる。
【００４９】
さらに、本発明の回転式カレンダーを、テーブルもしくは机上の表面部に固定したいときは、使用者が所望する前記テーブルもしくは机上の場所におき、軽く吸着部６を押すだけで確実に固定できる。
【００５０】
また、本発明の回転式カレンダーを室内の壁面部に固定するときも、所望する壁面部に当てて、前記吸着部６を押すだけで確実に固定できる。
【００５１】
さらに本発明の回転式カレンダーは、テーブルもしくは机上もしくは壁面に対し吸着せしめて使用することができるが、それ以外に、上方ローラｂ内に紐等を挿し通して吊下げて使用することもできる。
【００５２】
以上、実施例を図面に基づいて説明したが、本発明は、図示例の限りではなく、その技術的思想を逸脱しない範囲において、当業者が通常に行う設計変更、応用のバリエーションの範囲を含むことを念のために言及する。
【符号の説明】
【００５３】
Ａ        カレンダー本体
ａ        月別カレンダー
ｂ        上方ローラ
ｃ        下方ローラ
ｄ        左側支持脚部
ｅ        右側支持脚部
１        端部
２        端部
２ａ      充填部材
３        端部
４        端部
５        下方突出部
６        吸着部
７        端部
８        突っ張り杆
９        上方部材
９ａ      下方部材